(57)【要約】【課題】系統基本周波数の切り替り時に出力回路が誤復帰せず正しい出力が得られるディジタル保護継電装置におけるシーケンスタイマ保持装置を提供する。【解決手段】系統基本周波数に対応したカウント数をカウントするタイマカウンタのタイムアップ時にオンを、タイムアップしていない時にオフを各々発するタイマ２７Ｔと、タイマ２７Ｔのオン、オフ出力をリレー出力として出力する２７出力回路と、タイマ２７Ｔと２７出力回路の間に設けられ、２７リレーの非動作時はタイマ２７Ｔの出力をリセットしてオフ信号を出力し、２７リレーが動作し且つタイマ２７Ｔの出力がオンである時にオン信号を出力し、２７リレーが動作し且つタイマ２７Ｔの出力がオンからオフに切り替わった時に前記オン信号出力状態を保持してオン信号を出力するタイマ保持手段（保持回路（フリップフロップ）１０１およびＮＯＴ回路１０２）と、を具備した。【選択図】図１
2016077123.tif 000002
【特許請求の範囲】
【請求項１】
リレーを備え、系統基本周波数が切り替わる系統を保護するディジタル保護継電装置において、
前記系統の系統基本周波数が第１の周波数か第１の周波数とは異なる第２の周波数のいずれであるかを判別する系統周波数判別手段と、
前記系統周波数判別手段により判別された周波数に対応して、第１の周波数に対応する第１のカウント数又は第２の周波数に対応する第２のカウント数が設定され、前記リレーの動作時に前記設定されたカウント数をカウントし、前記リレーの非動作時にクリアされるタイマカウンタと、
前記タイマカウンタがタイムアップしたときにオン出力を発し、タイムアップしていないときにオフ出力を発するシーケンスタイマと、
前記シーケンスタイマのオン出力、オフ出力をリレー出力として出力するリレー出力回路と、
前記シーケンスタイマとリレー出力回路の間に設けられ、前記リレーが動作していないときは前記シーケンスタイマの出力をリセットしてオフ信号を出力し、前記リレーが動作しており且つ前記シーケンスタイマの出力がオンであるときにオン信号を出力し、前記リレーが動作しており且つ前記シーケンスタイマの出力がオンからオフに切り替わったときに前記オン信号出力状態を保持してオン信号を出力するタイマ保持手段と、
を具備したことを特徴とするディジタル保護継電装置におけるシーケンスタイマ保持装置。
【請求項２】
リレーを備え、系統基本周波数が切り替わる系統を保護するディジタル保護継電装置におけるシーケンスタイマ保持方法であって、
系統周波数判別手段が、前記系統の系統基本周波数が第１の周波数か第１の周波数とは異なる第２の周波数のいずれであるかを判別する系統周波数判別ステップと、
制御手段が、前記系統周波数判別ステップの判別結果が第１の周波数である場合、タイマカウンタのカウント数を、第１の周波数に対応した第１のカウント数に設定し、前記判別結果が第２の周波数である場合、タイマカウンタのカウント数を、第２の周波数に対応した第２のカウント数に設定するステップと、
制御手段が、前記リレーのオン、オフ状態を判定し、オンのときは前記タイマカウンタを歩進し、オフのときはタイマカウンタをクリアするステップと、
制御手段が、前記タイマカウンタがタイムアップしたか否かを判定し、タイムアップしたときはシーケンスタイマの出力をオンとし、タイムアップしていないときはシーケンスタイマの出力をオフとするステップと、
タイマ保持手段が、前記リレーの非動作をリセット条件とし、リレーの非動作時にリレー出力回路をオフとするステップと、
タイマ保持手段が、前記シーケンスタイマの結果をセット条件とし、シーケンスタイマのオン出力によりリレー出力回路をオンとするステップと、
タイマ保持手段が、前記セット条件およびリセット条件が成立せず、シーケンスタイマがオフであり且つリレーが動作しているときに、リレー出力回路のオン状態を保持するステップと、
を具備したことを特徴とするディジタル保護継電装置におけるシーケンスタイマ保持方法。
【発明の詳細な説明】
【技術分野】
【０００１】
本発明は、系統基本周波数が切り替わる系統を保護するディジタル保護継電装置において、系統基本周波数切り替わり時のシーケンスタイマを保持する技術に関する。
【背景技術】
【０００２】
ディジタル保護継電装置は、系統基本周波数（５０Ｈｚまたは６０Ｈｚ）の電気角３０°間隔（５０Ｈｚ系統では１．６６６ｍｓ、６０Ｈｚ系統では１．３８８ｍｓ）でＣＰＵに割り込みを掛け、その割り込み処理の中でシーケンス処理を行っている。例えばオンディレータイマであればタイマ起動条件成立でカウンタ歩進し、あるいはタイマ起動条件不成立でカウンタをクリアし、このカウンタが設定値以上となるときにタイマ出力オン、設定値未満の場合はタイマ出力オフとし、その結果をもってシーケンス処理あるいはトリップ回路出力あるいは接点回路出力（装置表示器出力や外部機器出力等）あるいはイーサネット（登録商標）等を介して伝送する。
【０００３】
各系統での割り込み間隔は、
５０Ｈｚ系統では、１秒÷（５０Ｈｚ×（３６０°÷３０°））＝０．００１６６６秒＝１．６６６ｍｓ  
６０Ｈｚ系統では、１秒÷（６０Ｈｚ×（３６０°÷３０°））＝０．００１３８８秒＝１．３８８ｍｓ  
であるので、タイマ設定値は、
５０Ｈｚ系統では、設定秒×１０００÷１．６６６ｍｓ
６０Ｈｚ系統では、設定秒×１０００÷１．３８８ｍｓ
で算出される。
【０００４】
図３に２７リレー（不足電圧リレー）のタイマロジックを示し、図４に２７リレーのタイマフロー（５０Ｈｚ系統用）（ディジタル保護継電装置内の制御装置が実行する処理フロー）を示す。
【０００５】
図３において、２７Ｔは２７リレーの出力をタイマ起動条件とする２７タイマ（５秒オンディレータイマ）であり、そのタイマ結果は２７出力回路に出力される。
【０００６】
図４のタイマフローにおいて、まずステップＳ１０１ではカウンタＣＮＴ２７（タイマカウンタ）の設定値（カウント数）ＳＥＴ５Ｓ（５０Ｈｚ系統の５秒設定値）を３０００（＝５×１０００÷１．６６６）に設定する。
【０００７】
次にステップＳ１０２において、２７リレーがオンであるか（２７リレーが動作中であるか）否かを判定し、オンであればカウンタＣＮＴ２７を歩進し（ステップＳ１０３）、オフであればカウンタＣＮＴ２７をクリアする（ステップＳ１０４）。
【０００８】
次にステップＳ１０５において、カウンタＣＮＴ２７の値が設定値以上となった（タイムアップした）か否かを判定し、設定値以上となった（タイムアップした）場合は２７タイマ（２７Ｔ）がオンとなり（ステップＳ１０６）、設定値未満である（タイムアップしていない）場合は２７タイマがオフとなる（ステップＳ１０７）。
【０００９】
次にステップＳ１０８において２７タイマがオンであるか否かを判定し、オンである場合は２７出力回路にオンの情報を出力し（ステップＳ１０９）、オフである場合は２７出力回路にオフの情報を出力する（ステップＳ１１０）。
【００１０】
また、系統基本周波数が切り替わる系統を保護する保護継電装置においては、系統基本周波数を判別し、系統基本周波数が５０Ｈｚ系統から６０Ｈｚ系統に切り替わったときに、割り込み設定レジスタに６０Ｈｚ系統であることを設定することで外部割り込み発生回路が６０Ｈｚの電気角３０°で割り込みを発生させ、または系統基本周波数が６０Ｈｚ系統から５０Ｈｚ系統に切り替わったときに、割り込み設定レジスタに５０Ｈｚ系統であることを設定することで外部割り込み発生回路が５０Ｈｚの電気角３０°で割り込みを発生させている。
【００１１】
前記５０Ｈｚ系統又は６０Ｈｚ系統の周波数判別フローの一例を図５に示し、５０Ｈｚ系統／６０Ｈｚ系統の切り替えに対応した２７リレーのタイマフローを図６に示す。
【００１２】
図５は、電圧や電流を用いて系統の周波数を検出するリレーと、外部装置からの系統周波数情報を得る手段とを備えて系統基本周波数を判別する系統周波数判別手段が実行する処理フローであり、まずステップＳ２０１では系統周波数検出リレーの検出周波数が５０Ｈｚであるか否かを判定する。その結果５０Ｈｚではないと判定された場合はステップＳ２０２において系統周波数検出リレーの検出周波数が６０Ｈｚであるか否かを判定し、６０Ｈｚではないと判定された場合はステップＳ２０３において外部装置の系統周波数が６０Ｈｚであるか否かを判定する。
【００１３】
そして、ステップＳ２０１において５０Ｈｚであると判定された場合とステップＳ２０３において６０Ｈｚではないと判定された場合に、系統基本周波数は５０Ｈｚであると判定し（ステップＳ２０４）、ステップＳ２０２において６０Ｈｚであると判定された場合とステップＳ２０３において６０Ｈｚであると判定された場合に、系統基本周波数は６０Ｈｚであると判定する（ステップＳ２０５）。
【００１４】
図６において、まずステップＳ３０１では系統基本周波数が５０Ｈｚであるか否かが、例えば図５の処理によって判定される。判定結果が５０Ｈｚである場合はカウンタＣＮＴ２７の設定値ＳＥＴ５Ｓを３０００（＝５×１０００÷１．６６６）に設定し（ステップＳ３０２）、６０Ｈｚである場合はカウンタＣＮＴ２７の設定値ＳＥＴ５Ｓを３６００（＝５×１０００÷１．３８８）に設定する（ステップＳ３０３）。
【００１５】
次のステップＳ３０４〜Ｓ３１２では前記図４のステップＳ１０２〜Ｓ１１０と同一の処理が行われる。すなわち、ステップＳ３０４〜Ｓ３０６では２７リレーのオン、オフに応じて、オンの場合はカウンタＣＮＴ２７を歩進し、オフの場合はカウンタＣＮＴ２７をクリアし、ステップＳ３０７〜Ｓ３０９ではカウンタＣＮＴ２７のタイムアップに応じて、タイムアップした場合は２７タイマ（２７Ｔ）をオンとしタイムアップしていない場合は２７タイマをオフとし、ステップＳ３１０〜Ｓ３１２では２７タイマのオン、オフに応じて、オンの場合は２７出力回路にオンの情報を出力しオフの場合は２７出力回路にオフの情報を出力する。
【００１６】
尚、５０Ｈｚ又は６０Ｈｚの電力系統に対して負荷電流のサンプリングインターバルを自動的に調整する技術は、例えば特許文献１に記載のものが提案されている。
【先行技術文献】
【特許文献】
【００１７】
【特許文献１】特開平７−３２２４７３号公報
【発明の概要】
【発明が解決しようとする課題】
【００１８】
前記図３、図５、図６のように、系統基本周波数が切り替わる系統を保護する保護継電装置において、系統基本周波数が５０Ｈｚから６０Ｈｚに切り替わる場合、以下の問題点があった。
【００１９】
すなわち、カウンタＣＮＴ２７と比較する設定値ＳＥＴ５Ｓが３０００から３６００（ステップＳ３０２からＳ３０３）に切り替わるので、３０００で止められていたカウンタがステップＳ３０５で歩進を開始するが、カウンタが３６００に歩進するまでの間はタイマ２７Ｔの出力結果は復帰することになる（ステップＳ３０７の判定結果がＮＯ、ステップＳ３１０の判定結果がＮＯ）ので、２７出力回路もオフする（ステップＳ３１２）ことになってしまう。
【００２０】
この２７出力回路の出力を「母線停止」表示や警報に使用する装置があると、表示や警報は一旦復帰し、０．８３秒（（３６００−３０００）カウント×０．００１３８８秒）後に「母線停止」再表示や再警報となるので、誤復帰したことになってしまう。
【００２１】
本発明は上記課題を解決するものであり、その目的は、系統基本周波数の切り替り時に出力回路が誤復帰することなく正しい出力を得ることができるディジタル保護継電装置におけるシーケンスタイマ保持装置を提供することにある。
【課題を解決するための手段】
【００２２】
上記課題を解決するための本発明のディジタル保護継電装置におけるシーケンスタイマ保持装置は、リレーを備え、系統基本周波数が切り替わる系統を保護するディジタル保護継電装置において、
前記系統の系統基本周波数が第１の周波数か第１の周波数とは異なる第２の周波数のいずれであるかを判別する系統周波数判別手段と、前記系統周波数判別手段により判別された周波数に対応して、第１の周波数に対応する第１のカウント数又は第２の周波数に対応する第２のカウント数が設定され、前記リレーの動作時に前記設定されたカウント数をカウントし、前記リレーの非動作時にクリアされるタイマカウンタと、前記タイマカウンタがタイムアップしたときにオン出力を発し、タイムアップしていないときにオフ出力を発するシーケンスタイマと、前記シーケンスタイマのオン出力、オフ出力をリレー出力として出力するリレー出力回路と、前記シーケンスタイマとリレー出力回路の間に設けられ、前記リレーが動作していないときは前記シーケンスタイマの出力をリセットしてオフ信号を出力し、前記リレーが動作しており且つ前記シーケンスタイマの出力がオンであるときにオン信号を出力し、前記リレーが動作しており且つ前記シーケンスタイマの出力がオンからオフに切り替わったときに前記オン信号出力状態を保持してオン信号を出力するタイマ保持手段と、を具備したことを特徴としている。
【００２３】
上記構成において、タイマカウンタが、第１の周波数（例えば５０Ｈｚ）に対応する第１のカウント数（例えば３０００）＜第２の周波数（例えば６０Ｈｚ）に対応する第２のカウント数（例えば３６００）に設定されているものとし、リレーが動作しているものとする。
【００２４】
この場合、５０Ｈｚに対応する３０００カウントが終了してタイムアップするとシーケンスタイマはオンを出力するが、このとき系統基本周波数が５０Ｈｚから６０Ｈｚに切り替わったとすると、タイマカウンタのカウント数が第２のカウント数である３６００に切り替わり（増加し）、３６００−３０００カウント分が不足となり、前記シーケンスタイマの出力は復帰してしまう（オンからオフに切り替わる）。
【００２５】
本発明のタイマ保持手段を用いない構成の場合は、前記オンからオフに切り替わったシーケンスタイマの出力がそのままリレー出力回路から出力されて誤った出力（リレー出力）となる。
【００２６】
しかし、本発明のタイマ保持手段を備えることによって、前記系統基本周波数の切り替わりによりシーケンスタイマの出力がオンからオフに切り替わっても（復帰しても）、切り替わる前のオン状態が保持されるため、リレー出力回路が誤復帰することなく正しい出力を得ることができる。
【００２７】
また、本発明のディジタル保護継電装置におけるシーケンスタイマ保持方法は、リレーを備え、系統基本周波数が切り替わる系統を保護するディジタル保護継電装置におけるシーケンスタイマ保持方法であって、
系統周波数判別手段が、前記系統の系統基本周波数が第１の周波数か第１の周波数とは異なる第２の周波数のいずれであるかを判別する系統周波数判別ステップと、
制御手段が、前記系統周波数判別ステップの判別結果が第１の周波数である場合、タイマカウンタのカウント数を、第１の周波数に対応した第１のカウント数に設定し、前記判別結果が第２の周波数である場合、タイマカウンタのカウント数を、第２の周波数に対応した第２のカウント数に設定するステップと、
制御手段が、前記リレーのオン、オフ状態を判定し、オンのときは前記タイマカウンタを歩進し、オフのときはタイマカウンタをクリアするステップと、
制御手段が、前記タイマカウンタがタイムアップしたか否かを判定し、タイムアップしたときはシーケンスタイマの出力をオンとし、タイムアップしていないときはシーケンスタイマの出力をオフとするステップと、
タイマ保持手段が、前記リレーの非動作をリセット条件とし、リレーの非動作時にリレー出力回路をオフとするステップと、
タイマ保持手段が、前記シーケンスタイマの結果をセット条件とし、シーケンスタイマのオン出力によりリレー出力回路をオンとするステップと、
タイマ保持手段が、前記セット条件およびリセット条件が成立せず、シーケンスタイマがオフであり且つリレーが動作しているときに、リレー出力回路のオン状態を保持するステップと、を具備したことを特徴としている。
【００２８】
上記構成によれば、シーケンスタイマの結果をセット条件とする処理と、リレーが非動作であること（シーケンスタイマ起動条件が不成立であること）をリセット条件とする処理とを実行しているので、系統基本周波数が第１の周波数（例えば５０Ｈｚ）から第２の周波数（例えば６０Ｈｚ）に切り替わることでタイマカウンタのタイムアップを判定する設定値（カウント数）が切り替わる場合であっても、シーケンスタイマの結果が保持されることで、リレー出力回路が誤復帰することなく正しい出力を得ることができる。
【発明の効果】
【００２９】
本発明によれば、系統基本周波数の切り替わりによりシーケンスタイマの出力がオンからオフに切り替わっても（復帰しても）、切り替わる前のオン状態が保持されるため、リレー出力回路が誤復帰することなく正しい出力を得ることができる。
【図面の簡単な説明】
【００３０】
【図１】本発明の実施形態例における２７リレータイマ保持ロジックの構成図。
【図２】本発明の実施形態例における２７リレータイマ保持のフローチャート。
【図３】従来の２７リレータイマロジックの構成図。
【図４】従来の２７リレータイマ処理（５０Ｈｚ系統用）のフローチャート。
【図５】系統周波数判別手段のフローチャート。
【図６】従来の２７リレータイマ処理（５０Ｈｚ／６０Ｈｚ系統切り替え用）のフローチャート。
【発明を実施するための形態】
【００３１】
以下、図面を参照しながら本発明の実施の形態を説明するが、本発明は下記の実施形態例に限定されるものではない。図１はディジタル保護継電装置における本実施形態例の２７リレータイマ保持ロジックの構成図であり、図２は本実施形態例の２７リレータイマ保持フローのフローチャートを示している。
【００３２】
図１において、２７Ｔは２７リレーの出力をタイマ起動条件とする２７タイマ（５秒オンディレータイマ）であり、そのタイマ結果はフリップフロップを備えた保持回路１０１のセット信号として供給され、該保持回路１０１の出力は２７出力回路に出力される。
【００３３】
１０２は２７リレーの出力を反転するＮＯＴ回路であり、その出力は保持回路１０１（のフリップフロップ）のリセット信号とされる。
【００３４】
前記２７タイマ（２７Ｔ）は、５０Ｈｚ（第１の周波数）に対応する第１のカウント数（３０００）又は６０Ｈｚ（第２の周波数）に対応する第２のカウント数（３６００）が設定されるカウンタＣＮＴ２７を備え、カウンタＣＮＴ２７がタイムアップしたときにオン出力を発し、タイムアップしていないときにオフ出力を発する。
【００３５】
前記保持回路１０１およびＮＯＴ回路１０２によって、本発明のタイマ保持手段を構成している。
【００３６】
このタイマ保持手段は、２７リレーが動作していないとき（ＮＯＴ回路１０２の入力側が論理「０」）は２７タイマ（２７Ｔ）の出力をリセットしてオフ信号を出力し（ＮＯＴ回路１０２の出力側の論理「１」によりリセットし）、前記２７リレーが動作しており（ＮＯＴ回路１０２の入力側が論理「１」）且つ２７タイマの出力がオンであるときにオン信号を出力し（ＮＯＴ回路１０２の出力側の論理「０」により２７タイマのオン出力はリセットされず）、前記２７リレーが動作しており（ＮＯＴ回路１０２の入力側が論理「１」）、且つ系統基本周波数が５０Ｈｚから６０Ｈｚに切り替わってタイマカウンタのカウント数が３０００から３６００に変更され、２７タイマの出力がオンからオフに切り替わったときに、前記オン信号出力状態を保持してオン信号を出力する（切り替わる前の２７タイマオンを保持し、ＮＯＴ回路１０２の出力側の論理「０」によりリセットしない）。
【００３７】
図２の２７リレータイマ保持フローにおいて、従来の図６のフローと異なる点は、図６のステップＳ３１０〜Ｓ３１２のようにタイマ結果（２７Ｔ）で出力回路オン又はオフのどちらか一方を処理するのではなく、図２のステップＳ４１０〜Ｓ４１３のように２７出力回路をオンする条件とオフする条件を備えて分岐処理することで、その条件以外の場合には２７出力回路の状態を保持できるように構成している。
【００３８】
図２において、まずステップ４０１では系統基本周波数が５０Ｈｚであるか否かが、例えば図５の処理によって判定される。判定結果が５０Ｈｚである場合はカウンタＣＮＴ２７の設定値ＳＥＴ５Ｓを３０００（＝５×１０００÷１．６６６）に設定し（ステップＳ４０２）、６０Ｈｚである場合はカウンタＣＮＴ２７の設定値ＳＥＴ５Ｓを３６００（＝５×１０００÷１．３８８）に設定する（ステップＳ４０３）。
【００３９】
次にステップＳ４０４において、２７リレーがオンであるか（２７リレーが動作中であるか）否かを判定し、オンであればカウンタＣＮＴ２７を歩進し（ステップＳ４０５）、オフであればカウンタＣＮＴ２７をクリアする（ステップＳ４０６）。
【００４０】
次にステップＳ４０７において、カウンタＣＮＴ２７の値が設定値以上となった（タイムアップした）か否かを判定し、設定値以上となった（タイムアップした）場合は２７タイマ（２７Ｔ）がオンとなり（ステップＳ４０８）、設定値未満である（タイムアップしていない）場合は２７タイマがオフとなる（ステップＳ４０９）。
【００４１】
次にステップＳ４１０において２７タイマがオンであるか否かを判定し、オフである場合は２７出力回路は前回と変わらずステップ４１２へ進み、オンである場合は２７出力回路をオンとする（ステップＳ４１１）。
【００４２】
次にステップＳ４１２では２７リレーがオンである（２７リレーが動作している）か否かを判定し、オンではない場合は２７出力回路をオフとし（ステップＳ４１３）、オンである場合は２７出力回路は前回と変わらず処理を終了とする。
【００４３】
尚、前記ステップＳ４０１の系統周波数判別処理はディジタル保護継電装置の系統周波数判別手段が行い、ステップＳ４０２〜Ｓ４０９の処理はディジタル保護継電装置の制御手段が行い、ステップＳ４１０〜Ｓ４１３の処理はディジタル保護継電装置のタイマ保持手段が行うものである。
【００４４】
ここで図１の保持回路１０１（フリップフロップ）のセット条件（フリップフロップの入力端子）、リセット条件（フリップフロップのリセット端子）および出力（フリップフロップの出力端子）の各論理状態を以下に示し、タイマ保持手段の動作を説明する。
【００４５】
セット条件      リセット条件      出力
０              １              ０…（３）
１              １              ０
１              ０              １…（１）
０              ０              −（前回と同じ）…（２）
いま、系統基本周波数が５０Ｈｚで、２７リレーがオンしており、２７Ｔが５秒経過している場合は、図２のステップＳ４０８で２７Ｔがオンされるため「セット条件が１」であり、２７リレーがオン（ステップＳ４０４の判定結果がＹｅｓ）でありＮＯＴ回路１０２の出力が０であるため「リセット条件が０」であり、ステップＳ４１１で２７出力回路がオンのため「出力が１」であり、これが（１）の状態である。
【００４６】
この状態で系統基本周波数が６０Ｈｚに切り替わると、６００カウント不足するため図２のステップＳ４０７の判定結果がＮＯとなりステップＳ４０９で２７Ｔがオフとなるため「セット条件が０」である。このとき２７リレーが動作していれば、ＮＯＴ回路１０２の出力が０であるため「リセット条件が０」となる。そしてステップＳ４０５でカウンタＣＮＴ２７が３０００から歩進を再開し、ステップＳ４１０の判定結果がＮＯとなり、ステップＳ４１２の判定結果がＹｅｓとなるため、出力は前回の（１）と同じ「出力が１」を保持する。これが（２）の状態である。
【００４７】
このように、系統基本周波数が５０Ｈｚから６０Ｈｚに切り替わっても（２）の状態のように前回と同じ「出力が１」を保持することができる（誤って復帰させることがない）。
【００４８】
次に、２７リレーが復帰した（非動作となった）場合は、ＮＯＴ回路１０２の出力が１となるため「リセット条件が１」となり、ステップＳ４０６でカウンタがクリアされ、ステップＳ４０９で２７Ｔがオフされるため「セット条件が０」となり、ステップＳ４１２の判定結果がＮＯでありステップＳ４１３で２７出力回路がオフとされるため「出力が０」となる。これが（３）の状態である。
【００４９】
一方、６０Ｈｚ系統で２７リレーが動作しタイムアップしている状態（２７Ｔオン、出力回路オン）で５０Ｈｚ系統に切り替わる場合では、５秒設定値（カウント数）も３６００から３０００に切り替わるが、カウンタＣＮＴ２７は３６００で設定値より大きい値なので、ステップＳ４０８，Ｓ４１０，Ｓ４１１において２７Ｔオンと出力回路オンの処理が実行されるので、２７出力回路がオフすることはない。
【００５０】
以上のように本実施形態例によれば、タイマ結果をセット条件とする分岐処理（ステップＳ４１０、Ｓ４１１）と、タイマ起動条件が不成立である（２７リレーが非動作である）ことをリセット条件とする分岐処理（ステップＳ４１２，Ｓ４１３）を持つことで、系統基本周波数が５０Ｈｚ系統から６０Ｈｚ系統に切り替わることによりタイマのタイムアップを判定する設定値の値（カウント数）が増えた場合であっても、タイマ結果にて一度セットされた（ステップＳ４１１）出力回路はタイマ起動条件が不成立となる（ステップＳ４０４がＮＯとなる）まで保持されることにより、出力回路が誤復帰することなく正しい出力を得ることができる。
【符号の説明】
【００５１】
２７Ｔ…２７タイマ（５秒オンディレータイマ）
１０１…保持回路（フリップフロップ）
１０２…ＮＯＴ回路
ＣＮＴ２７…タイマカウンタ
【図１】
2016077123.tif 000003
【図２】
2016077123.tif 000004
【図３】
2016077123.tif 000005
【図４】
2016077123.tif 000006
【図５】
2016077123.tif 000007
【図６】
2016077123.tif 000008